(57)【要約】【課題】速やかに複数のオーディオコンテンツのうちからの所望のオーディオコンテンツを選択できるように支援する「オーディオ装置」を提供する。【解決手段】楽曲のリストが選択受付リスト５０１として表示されると５１１、楽曲Ａの再生が一時停止され、表示された選択受付リスト５０１でフォーカスフレーム３００が位置づけられている楽曲Ｃの再生が開始される。そして、楽曲Ｃの再生開始後５秒経過するまでに、スクロール操作５１２が開始されると、楽曲Ｃの再生は停止され、スクロール停止後に、当該時点の選択受付リスト５０２でフォーカスフレーム３００が位置づけられている楽曲Ｆの再生が開始される。同様に再生が開始される楽曲Ｊの再生開始後５秒経過するまでに、決定操作５１４が行われると、楽曲Ｊの当該時点の現在再生中の位置を再生開始位置とする楽曲リストの再生を開始する。【選択図】図５
2012009106.tif 000002
【特許請求の範囲】
【請求項１】
オーディオコンテンツのリストを表示し、前記リスト中からユーザによって選択されたオーディオコンテンツを再生するオーディオ装置であって、
ユーザ操作に応じて、前記リスト中の一つのオーディオコンテンツを選択候補コンテンツに設定する選択候補コンテンツ設定手段と、
前記選択候補コンテンツ設定手段によって、前記選択候補コンテンツに設定されたオーディオコンテンツの先頭部分を再生する先頭部分再生手段と、
前記選択候補コンテンツ設定手段によって選択候補コンテンツが設定されているときに、ユーザの決定操作に応答して、当該時点において選択候補コンテンツに設定されているオーディオコンテンツを再生する再生手段とを有することを特徴とするオーディオ装置。
【請求項２】
請求項１記載のオーディオ装置であって、
前記再生手段は、前記ユーザの決定操作の発生時に、前記先頭部分再生手段によって、選択候補コンテンツに設定されたオーディオコンテンツの先頭部分が再生中である場合には、当該オーディオコンテンツの再生を当該再生中の位置から継続することにより、当該オーディオコンテンツを再生することを特徴とするオーディオ装置。
【請求項３】
請求項１または２記載のオーディオ装置であって、
前記リストの表示開始時に当該時点で再生しているオーディオコンテンツの再生を一時停止すると共に、前記先頭部分再生手段による選択候補コンテンツに設定されたオーディオコンテンツの先頭部分の再生完了までに、前記選択候補コンテンツ設定手段による選択候補コンテンツに設定するオーディオコンテンツの変更も、前記ユーザの決定操作も発生しなかった場合に、前記リスト表示開始時に一時停止したオーディオコンテンツの再生を再開する再生復帰手段を有することを特徴とするオーディオ装置。
【請求項４】
請求項１、２または３記載のオーディオ装置であって、
選択候補コンテンツ設定手段は、ユーザのスクロール操作に応じて、前記リストの表示をスクロールすると共に、当該スクロールの停止時に前記リストの表示上の特定の位置にあるオーディオコンテンツを前記選択候補コンテンツに設定することを特徴とするオーディオ装置。
【請求項５】
請求項１、２または３記載のオーディオ装置であって、
選択候補コンテンツ設定手段は、ユーザの前記リスト中の一つのオーディオコンテンツの指定操作を受け付けて、当該指定操作によって指定されたオーディオコンテンツを前記選択候補コンテンツに設定することを特徴とするオーディオ装置。
【請求項６】
コンピュータによって読み取られ実行されるコンピュータプログラムであって、
前記コンピュータを、
オーディオコンテンツのリストを表示し、前記リスト中からユーザによって選択されたオーディオコンテンツを再生するオーディオ装置として機能させ、
当該オーディオ装置は、ユーザ操作に応じて、前記リスト中の一つのオーディオコンテンツを選択候補コンテンツに設定する選択候補コンテンツ設定手段と、
前記選択候補コンテンツ設定手段によって、選択候補コンテンツに設定されたオーディオコンテンツの先頭部分を再生する先頭部分再生手段と、
前記選択候補コンテンツ設定手段によって選択候補コンテンツが設定されているときに、ユーザの決定操作に応答して、当該時点において選択候補コンテンツに設定されているオーディオコンテンツを再生する再生手段とを有することを特徴とするコンピュータプログラム。
【発明の詳細な説明】
【技術分野】
【０００１】
本発明は、オーディオ装置において、ユーザの、複数のオーディオコンテンツのうちからの所望のオーディオコンテンツの選択を支援する技術に関するものである。
【背景技術】
【０００２】
オーディオ装置において、ユーザの、楽曲やアルバム等の複数のオーディオコンテンツのうちからの所望のオーディオコンテンツの選択を支援する技術としては、楽曲のリストを表示し、表示したリスト中からの楽曲の選択をユーザから受け付け、選択された楽曲の再生を行う技術（たとえば、特許文献１）が知られている。
【０００３】
また、オーディオ装置において、ユーザの、複数のオーディオコンテンツのうちからの所望のオーディオコンテンツの選択を支援する技術としては、各楽曲の一部分を順次再生すると共に、ユーザの再生指示が発生したときに、当該時点で一部分を再生している楽曲を、ユーザが選択した楽曲として、当該楽曲全体の再生を行う技術（たとえば、特許文献２）も知られている。
【先行技術文献】
【特許文献】
【０００４】
【特許文献１】特開２００８-２６９７１３号公報
【特許文献２】特開２００７-８０３０４号公報
【発明の概要】
【発明が解決しようとする課題】
【０００５】
前記楽曲のリスト中からの楽曲の選択をユーザから受け付ける技術によれば、楽曲数が多数である場合などには、ユーザが、所望の楽曲を見つけ出すまでに長時間、リストの表示を注視し続ける必要が生じる。一方で、車載のオーディオ装置等においては、運転者等であるユーザが、このような長時間の注視を連続的に行うことは困難であるために、ユーザがリストを用いて、所望の楽曲を速やかに選択して再生することができない状況が生じていた。
【０００６】
また、各楽曲の一部分を順次再生しつつ、ユーザの再生指示が発生したときに、当該時点で一部分を再生している楽曲の選択を受け付ける技術によれば、各楽曲の一部分は当該楽曲の前に順番づけられている全ての楽曲の一部分の再生が完了した後に再生されるため、楽曲数が多数である場合などには、所望の楽曲の一部分が再生されるまでに長時間を要してしまうことがある。
【０００７】
そこで、本発明は、ユーザが、速やかに、複数のオーディオコンテンツのうちからの所望のオーディオコンテンツを選択して再生できるように支援することを課題とする。
【課題を解決するための手段】
【０００８】
前記課題達成のために、本発明は、オーディオコンテンツのリストを表示し、前記リスト中からユーザによって選択されたオーディオコンテンツを再生するオーディオ装置に、ユーザ操作に応じて、前記リスト中の一つのオーディオコンテンツを選択候補コンテンツに設定する選択候補コンテンツ設定手段と、前記選択候補コンテンツ設定手段によって、選択候補コンテンツに設定されたオーディオコンテンツの先頭部分を再生する先頭部分再生手段と、前記選択候補コンテンツ設定手段によって選択候補コンテンツが設定されているときに、ユーザの決定操作に応答して、当該時点において選択候補コンテンツに設定されているオーディオコンテンツを再生する再生手段とを備えたものである。
【０００９】
このようなオーディオ装置によれば、ユーザはリストを利用して、任意のオーディオコンテンツを再生候補コンテンツに設定して、その先頭部分を再生させて、その内容を確認することができる。また、内容を確認した再生候補コンテンツが所望のオーディオコンテンツである場合には、決定操作を行うだけで、そのオーディオコンテンツの再生を行うことができる。
【００１０】
よって、各オーディオコンテンツの内容を、当該オーディオコンテンツより前の順番の各オーディオコンテンツの一部の再生の完了を待つことなく速やかに確認することができる。また、各オーディオコンテンツの内容をその先頭部分の再生より確認でき、また、選択候補コンテンツとするオーディオコンテンツの切り替えは、必ずしもリストを目視しなくても行うことができるため、リストの表示を連続的に注視し続ける必要も生じない。よって、車載のオーディオ装置などの、ユーザが長時間の注視を連続的に行うことが困難な環境でも、より速やかに所望のオーディオコンテンツを選択できるようになる。
【００１１】
ここで、このようなオーディオ装置は、前記再生手段において、前記ユーザの決定操作の発生時に、前記先頭部分再生手段によって、選択候補コンテンツに設定されたオーディオコンテンツの先頭部分が再生中である場合には、当該オーディオコンテンツの再生を当該再生中の位置から継続することにより、当該オーディオコンテンツを再生するように構成することが、ユーザのシームレスなオーディオコンテンツの視聴を可能とする上で好ましい。
【００１２】
ここで、以上のオーディオ装置には、前記リストの表示開始時に当該時点で再生しているオーディオコンテンツの再生を一時停止すると共に、前記先頭部分再生手段による選択候補コンテンツに設定されたオーディオコンテンツの先頭部分の再生完了までに、前記選択候補コンテンツ設定手段による選択候補コンテンツに設定するオーディオコンテンツの変更も、前記ユーザの決定操作も発生しなかった場合に、前記リスト表示開始時に一時停止したオーディオコンテンツの再生を再開する再生復帰手段を設けることも好ましい。
【００１３】
ここで、以上のオーディオ装置において、選択候補コンテンツ設定手段は、より具体的には、ユーザのスクロール操作に応じて、前記リストの表示をスクロールすると共に、当該スクロールの停止時に前記リストの表示上の特定の位置にあるオーディオコンテンツを前記選択候補コンテンツに設定するものであってもよいし、ユーザの前記リスト中の一つのオーディオコンテンツの指定操作を受け付けて、当該指定操作によって指定されたオーディオコンテンツ前記選択候補コンテンツに設定するものであってもよい。
【発明の効果】
【００１４】
以上のように、本発明によれば、ユーザが、速やかに、複数のオーディオコンテンツのうちからの所望のオーディオコンテンツの選択できるように支援することができる。
【図面の簡単な説明】
【００１５】
【図１】本発明の実施形態に係るオーディオ装置の構成を示すブロック図である。
【図２】本発明の実施形態に係るオーディオ装置が表示するコントロール画面を示す図である。
【図３】本発明の実施形態に係るオーディオ装置のスクロール動作を示す図である。
【図４】本発明の実施形態に係るオーディオ装置の楽曲選択受付処理を示すフローチャートである。
【図５】本発明の実施形態に係るオーディオ装置の楽曲選択受付処理の動作例を示す図である。
【発明を実施するための形態】
【００１６】
以下、本発明の実施形態を車載のオーディオ装置への適用を例にとり示す。
図１に、本実施形態に係るオーディオ装置の構成を示す。
オーディオ装置１は自動車に搭載されるものであり、ラジオチューナーやＣＤ／ＤＶＤプレイヤなどのオーディオデータを出力する機器であるオーディオ出力機器１１、外部インタフェース１２、ＨＤＤ１３、オーディオ処理部１４、スピーカ１５、操作部１６、表示部１７、制御部１８、メディアプレイヤ１９とを備えている。ここで、ＨＤＤ１３には各々が楽曲を表す複数のオーディオファイルと、ＨＤＤ１３に記録されているオーディオコンテンツの管理情報を表すコンテンツ管理データとが記録されている。
【００１７】
そして、外部インタフェース１２には、ポータブルミュージックプレイヤ２を接続することができ、ポータブルミュージックプレイヤ２には、各々が楽曲を表す複数のオーディオファイルと、ポータブルミュージックプレイヤ２に記録されているオーディオコンテンツの管理情報を表すコンテンツ管理データとが記録されている
【００１８】
ここで、ＨＤＤ１３に記憶されているコンテンツ管理データには、ＨＤＤ１３に記憶されているオーディオファイルが表す楽曲や、当該各楽曲の属する各アルバムや、当該各楽曲のアーティストや、当該各楽曲のジャンルを、ＨＤＤ１３に記憶されているオーディオコンテンツとして、各オーディオコンテンツの属性が登録されている。各オーディオコンテンツの属性としては、たとえば、楽曲であるオーディオコンテンツの属性であれば、当該楽曲のタイトル、当該楽曲の再生時間、当該楽曲のアーティスト、当該楽曲のジャンル、当該楽曲が属する各アルバムのアルバム名、当該楽曲のアートワークなどが登録される。また、アルバムであるオーディオコンテンツの属性であれば、当該アルバムのアルバム名、当該アルバムの再生時間、当該アルバムのアーティスト、当該アルバムのジャンル、当該アルバムのアートワークなどが登録される。
【００１９】
また、同様に、ポータブルミュージックプレイヤ２に記憶されているコンテンツ管理データには、ポータブルミュージックプレイヤ２に記憶されているオーディオファイルが表す楽曲や、当該楽曲が属する各アルバムや、当該各楽曲のアーティストや、当該各楽曲のジャンルを、ポータブルミュージックプレイヤ２に記憶されているオーディオコンテンツとして、各オーディオコンテンツの属性が登録されている。
【００２０】
但し、以上のオーディオ装置１は、ハードウエア的には、マイクロプロセッサや、メモリや、その他の周辺デバイスを有する一般的な構成を備えたコンピュータを利用して構成されるものであって良く、この場合、以上のオーディオ装置１の制御部１８やオーディオ処理部１４やメディアプレイヤ１９は、マイクロプロセッサが予め用意されたプログラムを実行することにより具現化するプロセスとして実現されるものであって良い。また、この場合、このようなプログラムは、記録媒体や適当な通信路を介して、オーディオ装置１に提供されるものであって良い。
【００２１】
さて、このような構成において、オーディオ処理部１４は、入力するオーディオデータが表す音声を、必要に応じてデコードしてスピーカ１５に出力する機能を有する。
また、制御部１８は、ユーザから操作部１６を介して、オーディオ出力機器１１とＨＤＤ１３とポータブルミュージックプレイヤ２とのいずれをオーディオソースとするかの設定を受け付ける処理を行う。また、制御部１８は、オーディオ出力機器１１がオーディオソースとして設定されているときに、操作部１６のユーザ操作に応じてオーディオ出力機器１１の動作を制御しつつ、オーディオ処理部１４に、オーディオ出力機器１１が出力するオーディオデータが表す音声をスピーカ１５に出力させる処理などを行う。
【００２２】
一方、メディアプレイヤ１９は、ＨＤＤ１３がオーディオソースとして設定されているときには、ＨＤＤ１３に記録されているコンテンツ管理データを用いて、ＨＤＤ１３に記録されているオーディオコンテンツの再生制御操作受付用の、表示部１７と操作部１６を用いた適当なＧＵＩをユーザに提供し、当該ＧＵＩで受け付けた再生制御操作に応じて、再生対象とするオーディオコンテンツを設定し、再生対象としたオーディオコンテンツの再生を行う。なお、各オーディオコンテンツの再生は、オーディオ処理部１４に、当該再生対象としたオーディオコンテンツのオーディオデータが表す音声をスピーカ１５に出力させることにより行う。
【００２３】
また、メディアプレイヤ１９は、ポータブルミュージックプレイヤ２がオーディオソースとして設定されているときには、ポータブルミュージックプレイヤ２から読み込んだコンテンツ管理データを用いて、ポータブルミュージックプレイヤ２に記録されているオーディオコンテンツの再生制御操作受付用の、表示部１７と操作部１６を用いた適当なＧＵＩをユーザに提供し、当該ＧＵＩで受け付けた再生制御操作に応じて、再生対象とするオーディオコンテンツを設定し、再生対象としたオーディオコンテンツの再生を行う。なお、各オーディオコンテンツの再生は、ポータブルミュージックプレイヤ２からの当該オーディオコンテンツのオーディオデータの読出を制御すると共に、オーディオ処理部１４に、ポータブルミュージックプレイヤ２から読み出されたオーディオデータが表す音声をスピーカ１５に出力させることにより行う。
【００２４】
さて、次に、メディアプレイヤ１９は、前述したＨＤＤ１３やポータブルミュージックプレイヤ２に記録されているオーディオコンテンツの再生制御操作受付用に提供するＧＵＩとして、操作部１６を用いたユーザのコントロールメニュー呼出操作に応答して、図２に示すようなコントロール画面を表示する。
【００２５】
図示するように、このコントロール画面のメインメニュー領域２００には、出力ソース切替用メニュー２０１と、音量表示２０２と、その他メニュー呼出用のボタン２０３が設けられており、ユーザは、出力ソース切替用メニュー２０１を用いて出力ソースを切り替えることができる。
【００２６】
また、メインメニュー領域２００の上部の左方にはリスト切替メニュー領域２１０が、メインメニュー領域２００の上部の右方には選択受付リスト領域２２０が設けられている。
そして、出力ソースとして、ＨＤＤ１３またはポータブルミュージックプレイヤ２が選択されているときには、リスト切替メニュー領域２１０には、アーティスト、アルバム、ジャンル、楽曲の項目よりなるリスト切替メニューが表示され、ユーザは、リスト切替メニューを用いて、アーティスト、アルバム、ジャンル、楽曲（ソング）のいずれかを、リスト表示対象属性として選択することができる。
【００２７】
そして、出力ソースとして、ＨＤＤ１３またはポータブルミュージックプレイヤ２が選択されているときには、選択受付リスト領域２２０には、出力ソースに記憶されているコンテンツ管理データに基づいて作成した、リスト切替メニューを用いて選択されたリスト表示対象属性のリストが選択受付リストとして（選択受付リスト領域２２０に収まりきらない場合には、その一部が）表示される。すなわち、リスト表示対象属性がアーティストであれば、出力ソースに記憶されているコンテンツ管理データに管理されているアーティストの情報のリストが表示され、リスト表示対象属性が、アルバムであれば、出力ソースに記憶されているコンテンツ管理データに管理されているアルバムの情報のリストが表示され、リスト表示対象属性が、ジャンルであれば、出力ソースに記憶されているコンテンツ管理データに管理されているジャンルの情報のリストが表示され、リスト表示対象属性が、楽曲であれば、出力ソースに記憶されているコンテンツ管理データに管理されている楽曲の情報のリストが表示される。
【００２８】
ここで、図２は、リスト切替メニューで、楽曲（ソング）が選択された状態を表しており、この場合、選択受付リストとしては、個々の楽曲の情報を１アイテム２２１とする楽曲のリストが表示される。また、選択受付リストのアイテム２２１となる各楽曲の情報としては、当該楽曲のタイトルと当該楽曲が属するアルバムのアルバム名と当該タイトルのアートワークを表示する。
【００２９】
さて、制御部１８は、このようにして表示した選択受付リストを、ユーザの操作部１６を介したスクロール操作に応じて上下にスクロールする。
すなわち、図３ａ１-ａ５に示すように、選択受付リストのうちの選択受付リスト領域２２０に表示する範囲である表示範囲を５アイテム分とし、表示範囲内の５アイテムを表示すると共に、表示範囲内の中央のアイテム（３番目のアイテム）の位置にフォーカスフレーム３００を固定的に表示する。なお、以下の各図において、選択受付リスト領域２２０上の各アイテムの背景となる図形（フレーム）のうちの、一つだけ塗り潰し色の輝度が高められている図形がフォーカスフレーム３００である。
【００３０】
そして、ユーザの順スクロール操作に応じて、図３ｂに示した選択受付リスト上で、表示範囲３０１を下方に、ユーザの逆スクロール操作に応じて、図３ｂに示した選択受付リスト上で、表示範囲３０１を上方に移動する。ここで、順スクロール操作とは、スクロール操作方向が順方向のスクロール操作を、逆スクロール操作とは、スクロール操作方向が逆方向のスクロール操作を指す。
【００３１】
この結果、ユーザのスクロール操作に応じて、図３ａ１-ａ５に示すように選択受付リスト領域２２０の選択受付リストの表示は上下にスクロールすることになる。
さて、ここで、選択受付リスト上で、前述したフォーカスフレーム３００が位置づけられているアイテムに対応するオーディオコンテンツは自動的に選択候補コンテンツに設定される。よって、ユーザはスクロール操作を行うことにより、任意のアイテムを選択候補コンテンツとして設定することができる。ここで、選択候補コンテンツとは、ユーザが決定操作に発生時に、ユーザが選択したオーディオコンテンツとして受け付けるオーディオコンテンツを指す。
【００３２】
なお、フォーカスフレーム３００は、ユーザのスクロール操作に応じて選択受付リストの表示上で上下に移動させたり、ユーザの位置指定操作に応じて指定位置に対応するアイテムの位置に移動させたりするようにしてもよい。また、カーソルを表示し、カーソルによって指定されたアイテムにフォーカスフレーム３００を移動するようにしてもよい。ただし、いずれの場合も、フォーカスフレーム３００が位置づけられているアイテムに対応するオーディオコンテンツを、自動的に選択候補コンテンツに設定するようにする。
次に、メディアプレイヤ１９が、このようなコントロール画面の選択受付リストを用いて行う、オーディオコンテンツの選択受付動作について説明する。
ここでは、一例として、選択受付リストとして、楽曲のリストを表示している場合の、楽曲の選択受付動作について説明する。
図４に、メディアプレイヤ１９が行う楽曲選択受付処理の手順を示す。
ここで、この楽曲選択受付処理は、リスト切替メニューで楽曲（ソング）が選択され、図２に示すように楽曲のリストが選択受付リストとして表示されると、その処理を開始する。
図示するように、この処理では、まず、現時点で行っている再生を一時停止する（ステップ４０２）。
そして、選択候補コンテンツの先頭からの再生を開始する（ステップ４０４）。ここで、楽曲のリストが選択受付リストとして表示されているときには、選択候補コンテンツは、選択受付リストの上で、フォーカスフレーム３００が位置づけられているアイテムが情報を表す楽曲となる。以下では、この選択候補コンテンツとなっている楽曲を選択候補楽曲として説明を行う。
【００３３】
そして、上述したようなユーザのスクロール操作に応じた選択受付リストのスクロールの開始と（ステップ４０６）、ユーザの操作部１６を用いた決定操作の発生と（ステップ４０８）、ステップ４０４で開始した選択候補楽曲の再生の再生開始時点からの５秒の超過と（ステップ４１０）を監視する。
【００３４】
そして、スクロールが開始された場合には（ステップ４０６）、ステップ４０４で開始した選択候補楽曲の再生を終了し（ステップ４１２）、スクロールの停止を待つ（ステップ４１４）。次に、スクロールが停止したならば（ステップ４１４）、スクロールの開始（ステップ４１６）と、スクロール停止時点からの0.2秒の超過と（ステップ４１８）、決定操作の発生（ステップ４２０）とを監視する。
【００３５】
そして、スクロールが開始したならば（ステップ４１６）、ステップ４１４に戻って、スクロールの停止を待つ。
また、スクロール停止期間の0.2秒の超過が発生したならば（ステップ４１８）、ステップ４０４に戻って、その時点の選択候補楽曲の先頭からの再生を開始し、ステップ４０６-４１０の監視に戻る。
また、決定操作が発生した場合（ステップ４２０）には、コントロール画面の表示を消去し（ステップ４２２）、選択候補楽曲を再生開始位置とする楽曲リストの再生を開始し（ステップ４２４）、楽曲選択受付処理を終了する。ここで、選択候補楽曲の先頭を再生開始位置とする楽曲リストの再生とは、選択受付リスト上の選択候補楽曲以降の各楽曲を、選択受付リスト上の表示順に従った順序で、順次、再生対象のオーディオコンテンツとして、その楽曲の先頭から再生を行うものである。ただし、再生モードとしてリピートモードが設定されている場合には、決定操作発生時（ステップ４２０）の選択候補楽曲の再生が繰り返し行われ、再生モードとして、ランダムモードが設定されている場合には、決定操作発生時（ステップ４２０）の選択候補楽曲の再生後は、ランダムに、順次再生する楽曲が選択される。
【００３６】
一方、ステップ４０６-４１０の監視中に、決定操作が発生した場合には（ステップ４０８）、コントロール画面の表示を消去し（ステップ４２６）、選択候補楽曲の現在再生中の位置を再生開始位置とする楽曲リストの再生を開始し（ステップ４２８）、楽曲選択受付処理を終了する。ここで、選択候補楽曲の現在再生中の位置を再生開始位置とする楽曲リストの再生とは、選択候補楽曲の現在再生中の位置以降の部分を再生した後に、選択受付リスト上の選択候補楽曲より後の各楽曲を、選択受付リスト上の表示順に従った順序で、順次、再生対象のオーディオコンテンツとして、その楽曲の先頭から再生を行うものである。ただし、再生モードとしてリピートモードが設定されている場合には、決定操作発生時（ステップ４０８）の選択候補楽曲の再生が繰り返し行われ、再生モードとして、ランダムモードが設定されている場合には、決定操作発生時（ステップ４０８）の選択候補楽曲の再生後は、ランダムに、順次再生する楽曲が選択される。
【００３７】
次に、ステップ４０６-４１０の監視中に、ステップ４０４で開始した選択候補楽曲の再生期間の５秒の超過が発生した場合には（ステップ４１０）、コントロール画面の表示を消去し（ステップ４３０）、選択候補楽曲の再生を終了し（ステップ４３２）、ステップ４０２で一時停止していた再生を再開し（ステップ４３４）、楽曲選択受付処理を終了する。
【００３８】
以上、楽曲選択受付処理について説明した。
ここで、図５に、このような楽曲選択受付処理の動作例を示す。
図示するように、楽曲Ａの再生中に、リスト切替メニューで楽曲（ソング）が選択され、楽曲のリストが選択受付リスト５０１として表示されると５１１、当該時点で再生されていた楽曲Ａの再生が一時停止され、表示された選択受付リスト５０１でフォーカスフレーム３００が位置づけられている楽曲Ｃの再生が開始される。
【００３９】
そして、楽曲Ｃの再生開始後５秒経過するまでに、スクロール操作５１２が開始されると、楽曲Ｃの再生は停止される。なお、ここでもし楽曲Ｃの再生開始後５秒経過するまでに、スクロール操作も決定操作も発生しなかった場合には、５秒経過時に、楽曲Ｃの再生は停止され、一時停止していた楽曲Ａの再生が再開されることになる。
【００４０】
そして、スクロール操作５１２が終了し、スクロールが停止すると、当該時点の選択受付リスト５０２でフォーカスフレーム３００が位置づけられている楽曲Ｆの再生が開始される。
そして、楽曲Ｆの再生開始後５秒経過するまでに、再度、スクロール操作５１３が開始されると、楽曲Ｆの再生は停止される。なお、ここでもし楽曲Ｆの再生開始後５秒経過するまでに、スクロール操作も決定操作も発生しなかった場合には、５秒経過時に、楽曲Ｆの再生は停止され、一時停止していた楽曲Ａの再生が再開されることになる。
【００４１】
そして、スクロール操作５１３が終了し、スクロールが停止すると、当該時点の選択受付リスト５０３でフォーカスフレーム３００が位置づけられている楽曲Ｊの再生が開始される。
そして、楽曲Ｊの再生開始後５秒経過するまでに、決定操作５１４が行われると、楽曲Ｊの当該時点の現在再生中の位置を再生開始位置とする楽曲リストの再生を開始する。この結果、楽曲Ｊの再生は、楽曲Ｊ全体の再生が完了するまで、そのまま継続され、楽曲Ｊの再生完了後には、楽曲リストの順番に従って、楽曲Ｋ、楽曲Ｌ、..と、各楽曲が順次再生される。
【００４２】
以上、楽曲選択受付処理について説明した。
なお、以上の楽曲選択受け付け処理は、ステップ４１２の選択候補楽曲の再生停止の処理を廃して、スクロール中も、当該スクロール開始前の時点の選択候補楽曲の再生を継続するようにしてもよい。または、スクロール開始時に、ステップ４０２で一時停止した再生を再開し、スクロール停止時に当該再生を再び一時停止することにより、スクロール中は、ステップ４０２で一時停止した再生の続き部分の再生を行うようにしてもよい。
【００４３】
ところで、以上では、メディアプレイヤ１９がコントロール画面の選択受付リストを用いて行う、オーディオコンテンツの選択受付動作について、楽曲の選択受付動作を例にとり説明したが、アルバムやアーティストやジャンルの選択受け付けも、楽曲選択受付処理と同様の処理によって行うことができる。
【００４４】
すなわち、たとえば、アルバムの選択受け付けの場合には、選択受付リストとしてアルバムのリストが表示されているときに、選択候補楽曲を選択候補アルバムに置き換えて、図４の楽曲選択受付処理を行うようにすればよい、なお、ここで、選択候補アルバムとは、選択候補コンテンツとなっているアルバム、すなわち、フォーカスフレーム３００が位置づけられたアイテムに対応するアルバムを指す、なお、この場合には、ステップ４０４の選択候補楽曲の再生開始の処理では、フォーカスされているアルバムの先頭の楽曲の先頭から再生を開始するようにする。
【００４５】
以上のように本実施形態によれば、ユーザは選択受付リストを利用して、任意のオーディオコンテンツを再生候補コンテンツに設定して、その先頭部分を再生させて、その内容を確認することができる。また、内容を確認した再生候補コンテンツが所望のオーディオコンテンツである場合には、決定操作を行うだけで、そのオーディオコンテンツの再生を行うことができる。
【００４６】
よって、各オーディオコンテンツの内容を、当該オーディオコンテンツより前の順番の各オーディオコンテンツの一部の再生の完了を待つことなく速やかに確認することができる。また、各オーディオコンテンツの内容をその先頭部分の再生より確認でき、また、選択候補コンテンツとするオーディオコンテンツの切り替えは、必ずしもリストを目視しなくても行うことができるため、選択受付リストの表示を連続的に注視し続ける必要も生じない。よって、車載のオーディオ装置１などの、ユーザが長時間の注視を連続的に行うことが困難な環境でも、より速やかに所望のオーディオコンテンツを選択して再生できるようになる。
【符号の説明】
【００４７】
１…オーディオ装置、２…ポータブルミュージックプレイヤ、１１…オーディオ出力機器、１２…外部インタフェース、１３…ＨＤＤ、１４…オーディオ処理部、１５…スピーカ、１６…操作部、１７…表示部、１８…制御部、１９…メディアプレイヤ、２００…メインメニュー領域、２０１…出力ソース切替用メニュー、２０２…音量表示、２０３…ボタン、２１０…リスト切替メニュー領域、２２０…選択受付リスト領域、３００…フォーカスフレーム。
【図１】
2012009106.tif 000003
【図２】
2012009106.tif 000004
【図３】
2012009106.tif 000005
【図４】
2012009106.tif 000006
【図５】
2012009106.tif 000007